(57)【要約】【課題】側溝に堆積した土砂に植物の種子が着床して発芽した場合でも、水路に差し込む日光を軽減させることで、成長を抑える。【解決手段】水路１と該水路１の上部に形成された開口部２とを有する側溝と、側溝の開口部に配置されたグレーチング４と、側溝の水路１とグレーチング４との間に配置され、グレーチング４から流入した水を水路１に流す流路７と水路１に対する光の差し込みを遮光する遮光部を有する遮光板５と、を有する。遮光板５は、側溝の開口部２に対応する寸法を有し且つ非透光性を有する非透光板５ａからなり、非透光板５ａの一部を切り込んで折り曲げた一又は複数の折曲片５ｃが形成され、折曲片５ｃと非透光板５ａの間に流路７が形成され、且つ折曲片５ｃを含む非透光板５ａによって遮光部が形成されている。【選択図】        図１
2016037748.tif 000002
【特許請求の範囲】
【請求項１】
水路と該水路の上部に形成された開口部とを有する側溝と、
前記側溝の開口部に配置されたグレーチングと、
前記側溝の水路と前記グレーチングとの間に配置され、前記グレーチングから流入した水を水路に流す流路と、前記側溝の水路に対する光の差し込みを遮光する遮光部と、を有する遮光板と、
を有することを特徴とする側溝構造。
【請求項２】
水路の上部に形成された開口部にグレーチングを配置した側溝の水路とグレーチングとの間に配置される遮光板であって、
前記側溝の開口部に対応する寸法を有し且つ非透光性を有する非透光板からなり、該非透光板の一部を切り込んで折り曲げた一又は複数の折曲片が形成され、該折曲片と非透光板の間に水の流路が形成され、且つ折曲片を含む非透光板によって遮光部が形成されていることを特徴とする遮光板。
【発明の詳細な説明】
【技術分野】
【０００１】
本発明は、上部に形成された開口部から差し込む日光を軽減させるようにした側溝構造と、開口部から流れ込む水を水路に流通させることが可能で且つ水路に差し込む日光を軽減することができる遮光板とに関するものである。
【背景技術】
【０００２】
道路、特に車道に沿って側溝を配置し、該側溝を介して道路に降った雨水や散水を下水道管路に排水し得るように構成しているのが一般的である。通常、道路の表面には土砂が付着しており、この土砂が雨水と共に側溝に流入する。雨水が連続的に側溝に流入し、該側溝に強い流れが生じている間は土砂も下水道管路に排出される。しかし、雨が降りやむ際に流れが弱まると、流入した土砂は側溝の底部に堆積することとなる。
【０００３】
また、側溝の周囲には各種の植物が繁殖しており、これらの種子が風に飛ばされて側溝に入りこむことがある。そして、側溝の底部に土砂が堆積していた場合、入り込んだ種子が着床して発芽、成長し、成長した植物の先端部分が側溝の開口部に配置したグレーチングから露出して景観を悪化させたり、交通安全上の問題が生じる虞がある。更に、側溝内で植物が繁茂した場合、該側溝内に於ける流入した水の円滑な流下を阻害するという問題も生じる。
【発明の概要】
【発明が解決しようとする課題】
【０００４】
上記の如く、側溝の内部で植物が成長、繁茂した場合、幾つかの問題が生じる。このため、側溝内で成長した植物を除去する必要があるが、この作業はグレーチングの一時的な撤去作業、狭い側溝内での草刈作業を含んでいる。このため、作業性が悪く、且つ労の多い作業となる虞がある。
【０００５】
本発明の目的は、側溝に堆積した土砂に植物の種子が着床して発芽した場合でも、水路に差し込む日光を軽減させることで、成長を抑えることができる側溝構造を提供すると共に、この側溝構造に用いる遮光板を提供することにある。
【課題を解決するための手段】
【０００６】
上記課題を解決するために、本件発明者は、側溝の底部に堆積した土砂に種子が着床した場合、この種子の発芽を防ぐこと、或いは発芽した後の成長を抑えることの可能性について検討した。この結果、植物の種子が発芽する条件は、空気及び水の存在、適切な温度であり、植物が成長する条件は、前記条件に加えて日光の照射であるとの知見を得た。
【０００７】
即ち、側溝に堆積した土砂に植物の種子が着床した場合、この種子の発芽を抑えることは略不可能であるものの、側溝の上部に形成された開口部から水路に差し込む日光を軽減させることで、発芽後の成長を抑えることができる。
【０００８】
従って、本発明に係る側溝構造は、水路と該水路の上部に形成された開口部とを有する側溝と、前記側溝の開口部に配置されたグレーチングと、前記側溝の水路と前記グレーチングとの間に配置され、前記グレーチングから流入した水を水路に流す流路と、前記側溝の水路に対する光の差し込みを遮光する遮光部と、を有する遮光板と、を有するものである。
【０００９】
また、本発明に係る遮光板は、水路の上部に形成された開口部にグレーチングを配置した側溝の水路とグレーチングとの間に配置される遮光板であって、前記側溝の開口部に対応する寸法を有し且つ非透光性を有する非透光板からなり、該非透光板の一部を切り込んで折り曲げた一又は複数の折曲片が形成され、該折曲片と非透光板の間に水の流路が形成され、且つ折曲片を含む非透光板によって遮光部が形成されているものである。
【発明の効果】
【００１０】
本発明に係る側溝構造では、側溝の水路と開口部に配置されたグレーチングの間に遮光板を配置したので、側溝の内部に照射される光を遮光することができる。このため、水路に堆積した土砂に着床して発芽した植物の種子に対する日光の照射を軽減することが可能となり、成長を抑えることができる。
【００１１】
特に、道路に降った雨水或いは散水による水は、グレーチング及び遮光板に形成した流路を介して側溝の水路に流れ込むことが可能であり、円滑な排水を実現することができる。
【００１２】
また、本発明に係る遮光板では、非透光板の一部を切り込んで曲げた折曲片を形成するという簡単な構造で、流路を形成することができる。
【図面の簡単な説明】
【００１３】
【図１】本実施例に係る側溝構造を説明する模式図である。
【図２】本実施例に係る側溝構造の要部を説明する図である。
【図３】本実施例に係る側溝構造の要部を説明する展開図である。
【図４】遮光板の構成を説明する図である。
【発明を実施するための形態】
【００１４】
以下本発明に係る側溝構造について説明する。本発明に於いて、対象とする側溝は、水路と、水路の上部に形成された開口部を有しており、該開口部にグレーチングが配置されていれば良く、側溝が如何なる手段で構成されているかを限定するものではない。即ち、側溝は、道路に沿って現場打ちしたコンクリートによって構成されていても良く、道路に沿って予め工場段階で成形された複数の側溝部材を連続させて一体化することで構成されたものであっても良い。
【００１５】
また、水路の上部に形成された開口部の構成も限定するものではなく、開口部が水路に沿って連続的に構成されている側溝、開口部が水路に沿って断続的に構成されている側溝、の何れであっても対応することが可能である。
【００１６】
遮光板はグレーチングを透過した光が側溝の水路に差し込むことを防ぐ機能を有するものであり、グレーチングを介して側溝に流入した水を水路に流すための流路が形成されると共に遮光部が形成されている。このため、遮光板は非透光性を有する非透光板によって構成され、該非透光板の一部を切り込んで折り曲げた折曲片を形成することで、該折曲片と非透光板の非折曲部との間に流路が形成される。
【００１７】
従って、遮光板に於ける流路の断面積は、非透光板に形成された切り込みの長さと、折曲片の折曲角度に応じた折曲片の先端と非透光板の切り込み部分との距離によって設定される。このため、流路の断面積は雨水排水の計算式に基づいて計算し、設定することが好ましい。
【００１８】
即ち、遮光板に形成する流路の数（折曲片の数）は少なくとも一つは必要であり、それ以上の数は側溝が適用される道路の幅に応じて適宜設定することが好ましい。また、遮光板に於ける流路の形成方向は特に限定するものではなく、遮光板の長手方向と平行な方向に形成されていても良く、遮光板の長手方向に対し直交する方向に形成されていても良い。
【００１９】
遮光板を構成するための非透光板は光が透過することがなければ良く、材質を限定するものではない。非透光性を有する板としては、鋼板やステンレス鋼板に代表される鉄系金属板、アルミニウムや銅に代表される非鉄金属系板、ポリカーボネートに代表される合成樹脂板、等があり夫々採用することが可能である。特に、鋼板を採用する場合には、亜鉛メッキや塗装等を含む防錆処理を施しておくことが好ましい。
【００２０】
非透光板の一部を切り込んで折曲片を形成する方法は限定するものではなく、採用した材料に応じて最適な方法をとることが好ましい。例えば、非透光板が金属板である場合、プレスによる打ち抜き加工と曲げ加工によって折曲片を形成することが可能であり、またプラズマ切断やレーザ切断によって一部を切り込んだ後、プレス加工によって折曲片を形成することも可能である。更に、非透光板が合成樹脂である場合、射出成形や一部を切り込んだ後、熱成形することで折曲片を形成することが可能である。
【００２１】
遮光板は、側溝に形成された水路と、開口部に配置されたグレーチングの間に配置される。遮光板とグレーチングとの間隔は特に限定するものではなく、両者の間に隙間が生じていても良い。しかし、遮光板をグレーチングの直下に配置すると共に、グレーチングを固定する際に同時に固定し得るようにすると取付作業が容易となり好ましい。
【００２２】
次に、本実施例に係る側溝構造と遮光板について図１〜図４により説明する。本実施例に係る側溝は、図１に示すように、予め工場で成形された側溝部材Ａを道路Ｂに沿って連続させて接続することで構成されている。側溝部材Ａは規格化されており、細部の形状や寸法は種類や呼び名を指定することで規定することが可能である。この側溝部材Ａの表面は二点鎖線で示す縁石Ｃ側から道路Ｂ側にかけて僅かな下り勾配を有している。
【００２３】
側溝部材Ａの内部には水路１が形成されており、該水路１の上部に開口部２が形成されている。水路１は側溝部材Ａの長手方向に貫通した断面が円形の水路として形成されており、開口部２から雨水と共に流入した土砂が堆積することがある。また、水路２に堆積した土砂には、開口部２から入り込んだ植物の種子が着床することがある。
【００２４】
開口部２は水路１の上方が大気に向けて開口する部位であり、本実施例では開口部２は側溝部材Ａの長手方向の略中央であって、水路１に沿った１か所に形成されている。しかし、水路１と開口部２の位置関係や、側溝部材Ａに於ける開口部２の位置及び数はこの実施例にのみ限定するものではないことは当然である。
【００２５】
開口部２に対応する側溝部材Ａの表面には、該側溝部材Ａの長手方向に沿って長方形の収容溝３が形成されている。この収容溝３は底部に開口した開口部２を囲んで底面３ａが形成され、平面形状は周壁３ｂによって規定されている。収容溝３は、グレーチング４及び遮光板５を収容するための溝であり、図２に示すように、深さはグレーチング４と遮光板５を収容するのに充分な寸法を有している。また、収容溝３の底面３ａの所定位置には複数のナット６ａが埋設されている
【００２６】
収容溝３にはグレーチング４が収容され、該グレーチング４の水路２側に遮光板５が配置されている。このように、グレーチング４は開口部２に配置され、遮光板５はグレーチング４と水路２との間に配置されている。本実施例では、遮光板５はグレーチング４の下面に接触した状態で配置されている。そして、ボルト６ｂをグレーチング４に形成されたボルト穴４ａに挿通してナット６ａに締結することで、グレーチング４及び遮光板５を固定している。
【００２７】
本実施例では、グレーチング４としては予め選択された側溝部材Ａに適用されるものをそのまま用いている。このグレーチング４は、厚さが約３ｍｍ〜５ｍｍ、幅が約５０ｍｍの複数の鋼板を幅方向を高さ方向として約３５ｍｍ間隔で配置し、周囲に同じ寸法の鋼板を配置して互いに溶接して構成されている。従って、このグレーチング４であっても、水路１に差し込む光を多少なりとも防ぐことが可能である。
【００２８】
遮光板５はグレーチング４と水路１との間に配置され、光が水路１に差し込むことを防ぐものであり、非透光性を有する非透光板からなり、該非透光板を切り込んで折曲片を形成することで流路を形成している。このため、遮光板５は、開口部２の幅寸法、長さ寸法に対応する寸法を有して形成されており、該開口部２を確実に覆うことが可能なように、グレーチング４の平面寸法と略等しい寸法を有している。
【００２９】
遮光板５は、図４に示すように、非透光板からなる本体部５ａと、非透光板を切り込んだ切込部５ｂと、切込部５ｂを形成することで切り出された片を折り曲げた折曲片５ｃを有しており、本体部５ａと折曲片５ｃとの間に流路７が形成されている。また、本体部５ａの所定位置には複数のボルト穴５ｄが形成されている。
【００３０】
本実施例では、遮光板５を構成する非透光板としてステンレス鋼板を採用している。ステンレス鋼板は充分な非透光性を有しており、且つ優れた防錆性と充分な強度を有している。このため、厚さが１ｍｍ程度のステンレス鋼板を用いた場合でも、長期間にわたって充分な遮光性能を保持することが可能である。
【００３１】
遮光板５に形成された折曲片５ｃの長さＬは特に限定するものではないが、該遮光板５を収容溝３に収容したとき開口部２と干渉することのない寸法となる約６００ｍｍ程度に形成されている。また、折曲片５ｃの幅Ｔも特に限定するものではないが、約５０ｍｍ程度であると好ましい。更に、折曲片５ｃの先端部分と本体部５ａとの距離Ｈも特に限定するものではないが、約３０ｍｍ程度であることが好ましい。
【００３２】
特に、遮光板５に形成された流路７の断面積Ｌ×Ｈは、雨水排水の計算式に基づいて１車線分の道路の条件と対応させることが好ましい。
【００３３】
本実施例に於いて、遮光板５には、三つの折曲片５ｃが形成され、これにより三つの流路７が形成されている。前述したように、流路７の数は側溝を設置する道路の車線数に対応して設定するものであり、遮光板５は３車線道路の側溝として利用される。従って、遮光板５に形成する折曲片５ｃの数は、本実施例に限定するものでないことは当然である。
【００３４】
本件発明者は、上記の如く構成した遮光板５の効果を確認するための実験を行った。この実験は、３個のプランターを用意し、夫々のプランターにバジルの種子を蒔いた上で発芽及び成長を確認することで行った。
【００３５】
第１のプランターは、側溝部材Ａの水路１の開口部２に何物も存在しない場合と同じ条件となるように、上方を開放した状態とした。第２のプランターは、側溝部材Ａの水路１の開口部２にグレーチング４が存在した場合と同じ条件となるように、上方にグレーチングを配置した。
【００３６】
第３のプランターは、本発明の構成である側溝部材Ａの水路１の開口部２にグレーチング４と該グレーチング４と水路１との間に遮光板５を配置した場合と同じ条件となるように、上方にグレーチングを配置すると共に該グレーチングの下面に遮光板５を配置した。
【００３７】
上記の如くした３個のプランターを３５日間放置してバジルの成長状態を確認した。その結果、第１のプランターのバジルは発芽後順調に生育し、本葉が６枚になるまで成長した。第２のプランターのバジルは発芽後の成長はゆっくりであり、本葉が２枚のもの、４枚のものが見られた。
【００３８】
第３のプランターのバジルは、発芽したものの子葉の状態であり、僅かに本葉の芽が出始めた状態であった。この実験の結果、側溝の水路に差し込む光を遮光することによって、水路に堆積した土砂に植物の種子が着床した場合、この種子の発芽を抑えることは難しいものの、発芽した後の成長を抑えることが可能であるとの結論を得ることが可能である。
【００３９】
そして、たとえ発芽しても成長することを抑えられれば、側溝から成長した植物が露出することを防ぐことが可能となり、季節の変化に伴って発芽した植物が枯れてしまうことを期待することが可能となる。
【産業上の利用可能性】
【００４０】
本発明に係る側溝構造は、道路の側溝を含む底部に土砂が堆積する虞があり、該土砂に植物の種子が着床する虞のある構造体に利用することが可能である。
【符号の説明】
【００４１】
Ａ                  側溝部材
Ｂ                  道路
Ｃ                  縁石
１                  水路
２                  開口部
３                  収容溝
３ａ                底面
３ｂ                周壁
４                  グレーチング
４ａ                ボルト穴
５                  遮光板
５ａ                本体部
５ｂ                切込部
５ｃ                折曲片
５ｄ                ボルト穴
６ａ                ナット
６ｂ                ボルト
７                  流路
【図１】
2016037748.tif 000003
【図２】
2016037748.tif 000004
【図３】
2016037748.tif 000005
【図４】
2016037748.tif 000006